(57)【要約】【課題】各種の記録媒体が使用でき更に将来予想される新たな規格の記録媒体にも容易かつ確実に対応できるカメラを提供する。【解決手段】カメラはグリップユニット１とカメラユニット群８の例えば第１のカメラ本体９とレンズユニット群２０のレンズユニット２１、２２又は２３とメモリユニット群２６のメモリユニット２７、２８又は２９とが着脱自在に結合されて成る。グリップユニット１はグリップ部２、レリースボタン３、設定ダイヤル４、表示装置５、その他の操作装置とカメラ本体９と回動自在に結合する回動シャフト７を備え、内部の基板にＣＰＵと交換電池を備えている。第１のカメラ本体９は内蔵ストロボ１２、ストラップ孔１４、標準レンズ１９、光学ファインダ１７及びグリップユニット１と結合するための係合凹部１８を備えている。メモリユニット２７はそれぞれ異なる種類の記録媒体毎に存在し第１のカメラ本体９の背面に自在に結合する。また、新たな規格の記録媒体が出現しても十分に対応できる。【選択図】      図１
2005184504.tif 000002
【特許請求の範囲】
【請求項１】
被写体像を撮影し画像信号を出力する撮像手段と前記画像信号を記録媒体に記録する記録手段を有するカメラ本体と、
前記記録媒体の複数の仕様に対応する数だけ備えられ該対応する記録媒体を着脱自在に保持し前記カメラ本体に対し交換取り付け可能に構成されたメモリユニットと、
を少なくとも有することを特徴とするカメラ。
【請求項２】
前記メモリユニットは、前記カメラ本体の背面に配置される、ことを特徴とする請求項１記載のカメラ。
【請求項３】
前記メモリユニットは、前記記録媒体の記録容量使用状態に関する情報を表示する表示部を有する、ことを特徴とする請求項２記載のカメラ。
【請求項４】
前記メモリユニットは、前記カメラ本体の背面を覆うように取り付けられる、ことを特徴とする請求項２記載のカメラ。
【請求項５】
前記メモリユニットは、該メモリユニットの両側面および底面が前記カメラ本体の背面の両側面および底面と外観的に連続するように配置される、ことを特徴とする請求項４記載のカメラ。
【請求項６】
前記メモリユニットは、底面に記録媒体の着脱用開口を備えている、ことを特徴とする請求項４記載のカメラ。
【請求項７】
前記メモリユニットは、前記カメラ本体との装着時に遮蔽される面に、記録媒体の着脱用開口を備えている、ことを特徴とする請求項４記載のカメラ。
【請求項８】
前記カメラ本体は、背面の前記メモリユニットが取り付けられる上部に覗き込み型のファインダを備えている、ことを特徴とする請求項２記載のカメラ。
【請求項９】
被写体像を撮影し画像信号を出力する撮像手段と前記画像信号を記録媒体に記録する記録手段を有する情報機器本体と、
前記記録媒体の複数の仕様に対応する数だけ備えられ該対応する記録媒体を着脱自在に保持し前記情報機器本体に対し交換取り付け可能に構成されたメモリユニットと、
を少なくとも有することを特徴とする情報機器。
【請求項１０】
被写体像を撮影し画像信号を出力する撮像手段及び前記画像信号を記録媒体に記録する記録手段を有するカメラ本体と、前記記録媒体を着脱自在に保持するメモリユニットとが組み合わされて成るカメラのメモリユニットであって、
前記メモリユニットは、記録媒体に応じて複数種類用意され、用意された複数の中から選択的に前記カメラ本体に装着されるメモリユニットの中の１つであることを特徴とするメモリユニット。
【発明の詳細な説明】
【技術分野】
【０００１】
本発明は、複数の画像記録媒体に対応できるカメラに関する。
【背景技術】
【０００２】
従来、カメラにおいて、銀塩フィルムを使用する銀塩カメラでは、１２枚取り、２４枚取り、３２枚取りなどと撮影状況に応じて使用するフイルムの記録性能（枚数）を選択して使用していたが、デジタルカメラでは、銀塩フィルムに対応する撮像素子がカメラ本体内に内蔵されていて交換ができないことに代わって、撮像された画像データを記録する記録媒体を、同一種類の規格の記録媒体で例えば１６Ｍ（メガバイトの略）、３２Ｍ、６４Ｍ、１２８Ｍなどと記録容量が異なるものの中から選択してカメラに交換装着して使用できるようになっている。
【０００３】
このようなデジタルカメラ用の記録媒体としては、複数種類の規格のものが存在し、例えば、スマートカード（登録商標）、ＣＦ（compact flash）カード（登録商標）、メモリスティック（登録商標）、ＳＤ（Secure Digital）メモリカード（登録商標）などの種類がある。
【０００４】
一般的には、カメラのメーカによって、カメラに装着して使用する記録媒体の規格がそれぞれ異なっている場合が多く、上記複数種類の規格のもの全てが相互の互換性がないので、カメラのユーザは、自分のカメラ用の記録媒体と異なる規格の記録媒体を利用することができないという不便がある。
【０００５】
そこで、そのような不便の解消を狙って、２種類の記録媒体が利用できるカメラが提案されている。（例えば、特許文献１参照。）
【特許文献１】特開２００１−０７８１３４号公報（［要約］、図１）
【発明の開示】
【発明が解決しようとする課題】
【０００６】
しかしながら、特許文献１のカメラは、カメラ本体に規格の異なる２種類の記録媒体を装着できるように２つのコネクタが設けられているので、通常のカメラの構成に比較して記録媒体用のコネクタを余計に１つ内蔵していることになり、１種類の記録媒体に対応している通常のカメラに比較して、カメラ本体が大きくなるという問題を有している。
【０００７】
また、デジタルカメラ用の現存する全ての記録媒体に対応しようとすると、例えば上述した４種類の記録媒体の全てに対応しようとすると、その分のコネクタを全てカメラに内蔵することになるので、カメラが大きくなりすぎて現実的ではない。また、大きさ以外にも使い勝手が悪くなることも十分に予想される。
【０００８】
さらに、上記のように記録媒体用のコネクタをカメラに内蔵する方式では、将来出現することが十分に予想される新たな規格の記録媒体には、いずれにしても対応できない。
本発明の課題は、上記従来の実情に鑑み、各種の記録媒体が使用でき、さらに将来予想される新たな規格の記録媒体にも容易に且つ確実に対応できるカメラを提供することである。
【課題を解決するための手段】
【０００９】
以下に、本発明に係わるカメラの構成を述べる。
本発明のカメラは、被写体像を撮影し画像信号を出力する撮像手段と上記画像信号を記録媒体に記録する記録手段を有するカメラ本体と、上記記録媒体の複数の仕様に対応する数だけ備えられ該対応する記録媒体を着脱自在に保持し上記カメラ本体に対し交換取り付け可能に構成されたメモリユニットと、を少なくとも有して構成される。
【００１０】
上記メモリユニットは、例えば上記カメラ本体の背面に配置されるように構成され、また、例えば上記記録媒体の記録容量使用状態に関する情報を表示する表示部を有して構成され、また、例えば上記カメラ本体の背面を覆うように取り付けられるように構成され、また、例えば当該メモリユニットの両側面および底面が上記カメラ本体の背面の両側面および底面と外観的に連続するように配置されるように構成される。
【００１１】
更に、上記メモリユニットは、例えば底面に記録媒体の着脱用開口を備えて構成され、また、例えば上記カメラ本体との装着時に遮蔽される面に、記録媒体の着脱用開口を備えて構成される。
上記カメラ本体は、例えば背面の上記メモリユニットが取り付けられる上部に覗き込み型のファインダを備えて構成される。
【００１２】
また、本発明のカメラの構成は、情報機器にも適用することができる。すなわち、被写体像を撮影し画像信号を出力する撮像手段と上記画像信号を記録媒体に記録する記録手段を有する情報機器本体と、上記記録媒体の複数の仕様に対応する数だけ備えられ該対応する記録媒体を着脱自在に保持し上記情報機器本体に対し交換取り付け可能に構成されたメモリユニットと、を少なくとも有する情報機器として構成することができる。
【００１３】
また、本発明のカメラにおける上記メモリユニットは、被写体像を撮影し画像信号を出力する撮像手段及び上記画像信号を記録媒体に記録する記録手段を有するカメラ本体と、上記記録媒体を着脱自在に保持するメモリユニットとが組み合わされて成るカメラのメモリユニットであって、上記メモリユニットは、記録媒体に応じて複数種類用意され、用意された複数の中から選択的に上記カメラ本体に装着されるメモリユニットの中の１つである。
【発明の効果】
【００１４】
本発明によれば、メモリユニットの交換によってカメラ全体の大きさを変えることなく種々の規格の記録媒体を使用することができて便利であるとともに、メモリユニットとカメラ本体との結合部に形態的な一体感があるので違和感なく使用できて便利である。
【発明を実施するための最良の形態】
【００１５】
以下、本発明の実施の形態を図面を参照しながら説明する。
【実施例１】
【００１６】
図１(a) 〜(d) は、本発明のユニット化されたカメラの基本システムの構成を示す外観図である。同図(a) は左にグリップユニット、右にカメラユニット群と外付けストロボユニットの正面図を示し、同図(b) はそれらの上面図、同図(c) はレンズユニット群の上面図、同図(d) はメモリユニット群の正面（カメラとしては背面）図を示している。
【００１７】
同図(a),(b) の左に示すように、グリップユニット１は、詳しくは後述する背面の一部と外側（図では左側）の側部と前部の下方全面にわたる広いグリップ部２が形成され、上部前方には、レリースボタン３と設定ダイヤル４が配設されている。また、グリップユニット１の上部後方にはＬＣＤ（液晶ディスプレイ）からなる表示装置５が配置され、その下方（図では上方）の背面にモードダイヤル６が配設されている。また、グリップユニット１の内側（図では右側）側面の中央よりやや上方に回動シャフト７が横方向に突設されている。
【００１８】
また、同図(a),(b) の右に示すように、カメラユニット群８は、機能の異なる２台のカメラ本体（第１のカメラ本体９及び第２のカメラ本体１１）から構成される。尚、カメラユニット群８のカメラ本体は、２台と限ることなく３台以上であってもよいことは勿論である。このように、本発明のカメラは、カメラ本体を交換すれば以下に示すように撮像系を交換することができる。
【００１９】
すなわち、先ず上記第１のカメラ本体９は、一眼レフユニットであり、ポップアップ式の内蔵ストロボ１２を備え、撮影状況に応じて外付けストロボユニット１３を組み付けることも可能である。この第１のカメラ本体９は、両側に２つのストラップ孔１４を形成され、これら２つのストラップ孔１４には、肩掛け式のストラップ１５が取り付けられている。
【００２０】
この第１のカメラ本体９の上面には、上記の内蔵ストロボ１２の後方（図では上方）に外付けストロボユニット１３を組み付けるストロボ係合部１６が形成されている。また、この第１のカメラ本体９の後面（図では上方の面）上方（図では手前側）には、光学ファインダ１７が配置され、内側（図では左側）側面のほぼ中央には、詳しくは後述する係合凹部１８が形成されている。
【００２１】
この第１のカメラ本体９には、標準レンズ１９を取り外した後に、同図(c) に示すレンズユニット群２０の各レンズユニット２１、２２、又は２３をそれぞれ交換可能に組み付けることができる。各レンズユニット２１、２２、又は２３は、例えば、あるものは広角レンズ、あるものは遠距離望遠レンズ、あるものは中距離望遠レンズである。
【００２２】
尚、これらレンズユニット群の構成は、上記の構成に限ることなく、例えば超望遠レンズ、魚眼レンズ等、機能が異なるレンズであれば、どのような種類のレンズユニットで構成しても良いことは勿論である。
次に、カメラユニット群８の第２のカメラ本体１１は、スナップショット用の小型のカメラ本体ユニットであり、上部に固定型の専用ストロボ２４を備え、内側（図では左側）側面を大きく占めて、第１のカメラ本体９の係合凹部１８と同様の係合凹部２５が形成されている。
【００２３】
このように、スナップショットの撮影では、グリップユニット１と合体させるカメラ本体ユニットを、スナップショット専用の撮影系である小型のカメラ本体ユニット１１に付け替えて、手軽且つ迅速にスナップ撮影を行うことができる。
尚、上記第１のカメラ本体９と第２のカメラ本体１１とは、それぞれ係合凹部１８又は２５によって、グリップユニット１の回動シャフト７を介して排他的にグリップユニット１と合体するように構成されている。
【００２４】
また、同図(d) に示すように、メモリユニット群２６は複数（同図(d) に示す例では３個のメモリユニット２７、２８、及び２９）のメモリユニットによって構成されている。これらのメモリユニットには、それぞれ異なる記録媒体が着脱自在に装着される。すなわち、あるものはメモリスティック（登録商標）を装着するメモリユニットであり、あるものはＳＤ（Secure Digital）メモリカード（登録商標）を装着するメモリユニットであり、そして、あるものはコンパクトフラッシュ（登録商標）を装着するメモリユニットである。
【００２５】
図２(a) は、上記グリップユニット１と第１のカメラ本体９とが合体して形成されるカメラの正面図であり、同図(b) は、その背面図である。尚、図２(a),(b) には、図１(a),(b) と同一の構成部分には図１(a),(b) と同一の番号を付与して示している。
図２(a) に示すカメラを正面図から見た構成は、図１(a) に示したグリップユニット１と第１のカメラ本体９の構成と同一である。図２(b) に示すカメラ背面の構成は、同図(b) で右側に配置されるグリップユニット１では、モードダイヤル６の左方となるユニット左角上部にイジェクトボタン３１が配置され、右手親指の付け根の腹で把持するグリップ部２の左方空き領域に、十字ボタン３２と、２つの設定ボタン３３が配設されている。
【００２６】
このように、グリップユニット１には、レリースボタン３、設定ダイヤル４、モードダイヤル６、十字ボタン３２、設定ボタン３３等の各種の操作ボタンや操作ダイヤル及び表示装置５のような撮影画像を表示できる表示装置、つまりカメラとして汎用的な機能に該当する部分が備えられており、このグリップユニット１に撮影機能のみを有する種類の異なるカメラ本体９（又は１１、以下同様）が着脱自在に装着できるので、撮影状況に応じてカメラ本体を選択できるだけでなく、グリップユニット１は従来通り使用し、最新の撮像素子が搭載されたカメラ本体９を買い換えるなどのカメラ本体のバージョンアップにも対処することができる。
【００２７】
また、図２(b) に示すように、表示装置５の下部に、カメラ本体９の撮影操作用の各種の操作ボタンや操作ダイヤルが配置されているので、グリップユニット１を把持した状態で、指によって表示装置５の表示面が隠されることがなく、常に表示を確認することができる。
【００２８】
また、４方向選択ボタンの十字ボタン３２が、右手親指の付け根の腹で把持するグリップ部２の左方の指が当たらない空きスペースとなるグリップユニット１の背面側下部位置に備えられているので、空きスペースが有効に利用されると共に、グリップ部２を保持すると同一の右片手で十字ボタン３２を操作することができるので極めて便利である。
【００２９】
他方、上記同様カメラを背面から見た構成において、図２(b) に示すように左側に配置される第１のカメラ本体９では、光学ファインダ１７の下部に、図１(d) に示したメモリユニット群２６の中のいずれかのメモリユニット２７、２８又は２９が、カメラ本体９と一体に取り付けられている。
【００３０】
メモリユニット２７（又は２８又は２９、以下同様）は、両側部にそれぞれロック解除ボタン３４を備え、背面中央にＬＣＤからなる主に撮影に関する情報表示部３５を備えている。情報表示部３５には、シャッター速度と絞り表示領域３６、撮影可能枚数表示領域３７、電池残量バー表示領域３８、メモリ残量バー表示領域３９が設けられている。その情報表示部３５の下方にはこのメモリユニット２７に対応するメモリの名称４１が印刷等によって表示されている。
【００３１】
図３(a) は、上記カメラの上面図であり、同図(b) は、上面図と比較参照のために図２(a) を再掲する図である。ただし、図３(a),(b) には、第１のカメラ本体９に、図１(a) 及び図２(a) に示した標準レンズ１９ではなく、図１(c) に示したレンズユニット群２０の中のレンズユニット２２を装着した状態を示している。尚、図３(a),(b) において、図１(a),(b) と同一の構成部分には図１(a),(b) と同一の番号を付与して示している。
【００３２】
図４(a) は、図３(b) の矢印Ａ方向に見た側面図であり、図４(b) は、図３(b) の矢印Ｂ方向に見た側面図である。尚、この図４(a),(b) においても、図１(a),(b) と同一の構成部分には図１(a),(b) と同一の番号を付与して示している。
図４(a) に示すように、グリップユニット１に対して反対側面となるカメラ本体９の外側側面の上部には、５個の撮影条件ボタン４２が配設されている。また、このカメラ本体９に対して反対側面となるグリップユニット１の外側側面の上部には、２個の設定ボタン４３が配設されている。
【００３３】
上記のような構成において、このカメラは、グリップユニット１とカメラ本体９とが、図１(a),(b) 〜図３(a),(b) に示したグリップユニット１の回動シャフト７とカメラ本体９の係合凹部１８を介して、図４(a),(b) に示す基準使用状態位置から矢印Ｃ、Ｃ´方向へそれぞれ９０度、回動自在に構成されている。
【００３４】
これにより、グリップユニット１に対して持ち方を変えることなく、カメラ本体９を適宜に回動させて、ローアングル、ハイアングル等の各種の角度からの撮影が容易に可能になる。
また、図２(b) に示すように、表示装置５は、グリップユニット１の上方において表示面が背面方向を向くように配置されているので、上記のように各種のアングルで撮影するためにカメラ本体９をグリップユニット１に対しどのように回動させても、撮影者は同じような姿勢で表示装置５によって表示を確認することができる。
【００３５】
図５は、グリップユニット１を破線１´で示す基準使用状態位置から、図の矢印Ｃで示すようにカメラ本体９の前方向に、回動中心４４を支点にして９０°回動させた状態を示す図である。この状態は、非使用時における携帯状態を示す図である。この状態ではグリップ１の外形がカメラ本体９の背面突出端Ｑ及び底面突出端Ｐをそれぞれ越えないような位置におさまるので携帯に便利である。
【００３６】
このようなカメラ本体９の前方向への回動は、破線１´で示す基準使用状態位置から実線で示す携帯状態位置までの間で、等間隔で３箇所すなわち３０°毎に固定することができる。これにより、グリップユニット１の持ち方を変えることなく一定に維持したまま、各種（本例では３種類）のハイアングルの撮影を行うことができる。
【００３７】
また、これとは逆に、グリップユニット１を破線１´で示す基準使用状態位置から、特には図示しないが、カメラ本体９の後方向に９０°まで回動させることができる。この場合も、このカメラ本体９の後方向への回動は、破線１´で示す基準使用状態位置から後方向に９０°まで、等間隔で３０°毎に固定することができる。
【００３８】
これにより、グリップユニット１の持ち方を変えることなく一定に維持したままで、斜め上から真上まで各種（本例では３種類）のローアングルの撮影を行うことができる。また、この状態で使用者が上体を前方に低く曲げてカメラを低く構えると、例えば足元の花などを撮影する場合に好適である。
【００３９】
また、上記の回動中心４４の回動軸は、グリップユニット１に装着されたカメラ本体（図の例ではカメラ本体９）の光軸と交差するように配置されている。これは、勿論カメラ本体１１の場合も同様である。
これにより、カメラグリップ１に対してカメラ本体９を回動させて撮影角度を変えても撮影方向の変更が把持位置から見た変更となるため、撮影者は目の位置をそのまま転じて眺める角度を変えた如く違和感無く撮影を続行することができる。
【００４０】
図６(a),(b) は、上記カメラグリップ１とカメラ本体９の回動係合部を示す斜視図である。尚、図１〜図５で述べてきた構成部分と同一の構成部分には図１〜図５と同一の番号を付与してい示している。この図６(a),(b) において、新たに示す部分は、図６(a) のカメラ本体９においては、係合凹部１８内に配置されているメス係合爪４５、凸接点４６、である、尚、参考のため、係合凹部１８の中央に目には見えない回動中心Ｔｐを示している。
【００４１】
他方の図６(b) に示すカメラグリップ１において新たに示す部分は、回動シャフト７が回動筒７ａと係合固定筒７ｂに分かれていること、並びにその係合固定筒７ｂが上記係合凹部１８との係合時に係合凹部１８の底面に対向する係合面７ｃに設けられている上記メス係合爪４５に対応するオス係合爪４７、及び上記凸接点４６に対応する平接点４８である。尚、参考のため、回動シャフト７には、図５に示した回動中心４４の目には見えない回動中心軸Ｔｓを示している。
【００４２】
図７(a) は、図６(a) に示すカメラ本体９の係合凹部１８を拡大して示す図であり、図７(b) は、図６(b) に示すカメラグリップ１の回動シャフト７及びその関連部分を分解して示す図、図７(c) は同図(b) の反対側（同図(b) の斜め右上方向）から見た斜視図である。
【００４３】
図７(a) に示すように、カメラ本体９の係合凹部１８には、上述したメス係合爪４５及び凸接点４６のほかに、係合凹部１８の底面に固定して係合凹部１８の内周面に対し斜めに立設された板状カム５１と、不図示の付勢部材により内部から外部に向けて付勢されて進退自在に配置された係合ピン５２とを備えている。
【００４４】
他方のカメラグリップ１の回動シャフト７（回動筒７ａ、係合固定筒７ｂ）には、図７(b) に示すように、一部を切り欠いて示す係合固定筒７ｂの係合面７ｃには、上述したオス係合爪４７及び平接点４８のほかに、係合固定筒７ｂと係合凹部１８との係合時に係合凹部１８の係合ピン５２が進出して係止する係合孔５３が形成されており、また上記板状カム５１に摺接する外部ピン５４ａが突設されている。
【００４５】
外部ピン５４ａは、係合固定筒７ｂの内側に突設されている内部ピン５４ｂと一体になっており、それらの長手方向中央部を回動部材５５の回動自由端に保持され、外部ピン５４ａが回動軌跡に沿った円弧状の長孔５６に挿通されて上記のように外部に突設されている。
【００４６】
回動部材５５は、支持ピン５７を支点にして回動可能であり、これにより外部ピン５４ａが長孔５６の一端から他端へと移動し、これに応じて内部ピン５４ｂも図の上下方向に移動する。
この内部ピン５４ｂは、図７(a),(b) のように係合固定筒７ｂが係合凹部１８から離脱しているときは、上記の回動部材５５が不図示の付勢部材により図の矢印ｄ方向に付勢されていることにより、同図(b) に示す長孔５５の下端部位置とは逆に、長孔５５の上端部に位置している。これにより、内部ピン５４ｂも上方に移動して、回動筒７ａのリング状の縁５８の切り欠き溝５９に嵌入している。したがって、このように係合固定筒７ｂが係合凹部１８から離脱しているときには、回動筒７ａと係合固定筒７ｂとは相互間の回転が禁止されている。
【００４７】
係合固定筒７ｂの上記リング状の縁５８は、係合固定筒７ｂの外周面よりも段差６１の分だけ内側に位置するように係合固定筒７ｂの外周面よりも小さな外周面をもって形成されている。
このリング状の縁５８の内側に接して、このリング状の縁５８が係合固定筒７ｂ内に嵌入して係合固定筒７ｂと回動筒７ａとが係合したとき、係合固定筒７ｂ側の係合孔５３と一致する位置に、回動筒７ａの軸方向に平行に回動筒７ａを貫通する貫通孔６２が形成されている。この貫通孔６２にはＥＪピン６３が挿通される。
【００４８】
また、回動筒７ａの上記リング状の縁５８が形成されている面の中央には、同図(ｃ) に示す外嵌係合筒６４の外側開口部６４ａが形成されている。この外側開口部６４ａには、係合固定筒７ｂの内側に突設されている嵌入係合筒６５が嵌入する。この嵌入係合筒６５の中に、同図(a) に示す平接点４８に接続されているフレキシブル配線６６が挿通している。
【００４９】
上記の嵌入係合筒６５には、内側２箇所にネジ孔６７が設けられている。このネジ孔６７には、嵌入係合筒６５が外嵌係合筒６４に嵌入してその端分開口面が外嵌係合筒６４の内部開口部６４ｂの面にほぼ一致する状態で、クリック板６８が、２個のネジ６９によりネジ挿通孔７１を介してネジ止めされる。
【００５０】
クリック板６８には、円周近傍に円周に沿って等間隔で穿設された１２個のクリック孔７２が配置される。また、円周部の２箇所の対向する位置に嵌入係合筒６５に向う方向の軸方向に突設するように２個のストッパ７３が設けられている。
上記クリック板６８のクリック孔７２には、外嵌係合筒６４の内部開口部６４ｂの外円周の２箇所の対向する位置に配設されたクリックボール７４がクリック嵌入する。
【００５１】
これにより、回動筒７ａは、係合固定筒７ｂとクリック板６８との間に挟持され、同図(a) に示す内部ピン５４ｂが、図のようにリング状の縁５８の切り欠き溝５９から内側に外れた位置にあるとき、係合固定筒７ｂに対して回動可能となり、クリック孔７２の間隔に対応する回転角度で、クリックボール７４を保持している部分に径方向に突出して形成されている円周内凸部６４Ｃ（２ヶ所）がストッパ７３に当接するまでクリックしながら回動する。
【００５２】
すなわち、この回動範囲は、クリック板６８の対向する２箇所に設けられた２個のストッパ７３が、回動筒７ａの円周内凸部６４Ｃに、それぞれ反対側から当接するまでの範囲、すなわち１８０度の範囲で回動する。この間１個のクリックボール７４がクリック嵌入するクリック孔７２の数は６個であり、したがって１回のクリック角は３０°である。尚、この回動は、回動筒７ａに対して係合固定筒７ｂ側が回動すると見ることも出来る。
【００５３】
上記の回動筒７ａには、外周面の内側（図では右側）端部の対向する２箇所にネジ固定部７５が形成されている。このネジ固定部７５により、回動筒７ａがグリップユニット１本体にネジ止めされる。
これにより、グリップユニット１本体が係合固定筒７ｂに対して（又は係合固定筒７ｂがグリップユニット１本体に対して）クリック回動が可能となる。
【００５４】
上記のように回動筒７ａがグリップユニット１本体にネジ止めされると、グリップユニット１本体側に配設されてる上述したＥＪピン６３が貫通孔６２に挿通される。ＥＪピン６３は、付勢部材７６により図の矢印ｅで示す本体内側方向に付勢されており、その内側方向の端部は、ＥＪレバー７７の下端部に形成されている斜面７８の下端部に当接している。この状態で、ＥＪピン６３の外側端部の先端は、カメラ本体９の係合凹部１８から係合固定筒７ｂの係合孔５３に嵌入する係合ピン５２の先端にちょうど当接する。
【００５５】
ＥＪレバー７７は、長孔７９により、本体側フレームに配設されている支持ピン８１に係合して上下に摺動可能に本体側フレームに支持されている。このＥＪレバー７７には係合爪８２が形成されており、この係合爪８２に、図６(b) にも示したイジェクトボタン３１が本体内部で係合している。
【００５６】
イジェクトボタン３１は、ボタン摺動溝８３に摺動自在に嵌入しており、常には図７(b) に示すようにボタン摺動溝８３の上方に位置している。使用者がイジェクトボタン３１を図の矢印ｆで示すイジェクト方向に押し下げると、イジェクトボタン３１に係合しているＥＪレバー７７が下方に押し下げられ、これに応じてＥＪレバー７７の斜面７８が降下することにより、この斜面７８に摺接するＥＪピン６３が付勢部材７６の付勢力に抗して外方向（図では左方向）に移動し、そのの外側端部の先端が、カメラ本体９の係合凹部１８から係合固定筒７ｂの係合孔５３に嵌入している係合ピン５２を係合孔５３から外側へ押出すように構成されている。
【００５７】
図８(a) 〜(d) は、上記グリップユニット１の回動シャフト７（回動筒７ａ、係合固定筒７ｂ）とカメラ本体９の係合凹部１８との分離結合動作を示す模式的断面図である。尚、図８(a) 〜(d) には、図７(a),(b),(c) の構成と同一の機能部分には図７(a),(b),(c) の構成の番号と同一の番号を付与して示している。この図８(a) 〜(d) により、図７(a),(b),(c) をも参照しながら、以下に回動シャフト７と係合凹部１８との分離結合動作を説明する。
【００５８】
図８(a) は、係合凹部１８と回動シャフト７（回動筒７ａ、係合固定筒７ｂ）が分離している状態を示している。係合凹部１８の係合ピン５２は、不図示の付勢部材により常に矢印ｇ方向に付勢されている。
他方の回動シャフト７においては、外部ピン５４ａ及び内部ピン５４ｂは、図７(b) に示す回動部材５５を介して図８(a) の矢印ｈで示す上方向に常に付勢されており、内部ピン５４ｂが、図７(b) に示すリング状の縁５８の切り欠き溝５９に嵌入して、回動筒７ａと係合固定筒７ｂ相互の回動を禁止している。
【００５９】
そして、グリップユニット１本体内部のＥＪレバー７７は、不図示の付勢部材により図８(a) の矢印ｉで示す上方向に常時付勢されており、ＥＪピン６３は、図７(b) に示す付勢部材７６により、図８(a) の矢印ｊで示す右方向に常時付勢されて、内側端部がＥＪレバー７７の斜面７８の下端部に当接している。
【００６０】
ここでカメラの使用者が回動シャフト７の係合固定筒７ｂを、図８(a) に示すカメラ本体９の係合凹部１８内にカメラ本体９とグリップユニット１を相対的に反時計回り方向（図７(b) のｘ方向）に回し込むと、図７(a),(b) に示す係合固定筒７ｂのオス係合爪４７が係合凹部１８のメス係合爪４５の溝に嵌入する。
【００６１】
つづいて、図８(b) に示すように、係合固定筒７ｂの外部ピン５４ａの先端部周面上部が係合凹部１８底面の板状カム５１の上端部下面に当接し、係合凹部１８の係合ピン５２の先端が係合固定筒７ｂの係合孔５３からややずれた位置で係合面７ｃに当接する。
そして回動終了時には、図８(c) に示すように、係合凹部１８の係合ピン５２の先端が係合固定筒７ｂの係合孔５３に嵌入して係合固定筒７ｂを位置決めする。これにより、係合固定筒７ｂと係合凹部１８の分離禁止が維持され、係合ピン５２の先端部が係合孔５３に嵌入して、カメラ本体９と係合固定筒７ｂの回動を規制する。
【００６２】
また、これと共に、図８(c) に示すように、係合固定筒７ｂの外部ピン５４ａが板状カム５１の下面に摺接しながら板状カム５１の下端部下面まで押し下げられて、図７(b) に示す長孔５６の下端部まで移動する。これにより、図８(c) に示すように、外部ピン５４ａと一体の内部ピン５４ｂが、切り欠き溝５９から外れて、図７(b) に示すリング状の縁５８の内側方向に移動し、係合固定筒７ｂと回動筒７ａ間の回動禁止を解除する。これにより、係合固定筒７ｂに対して、つまり係合凹部１８すなわちカメラ本体９に対して、回動筒７ａすなわちグリップユニット１の回動が可能となる。
【００６３】
一方、グリップユニット１からカメラ本体９を分離するときは、カメラの使用者は、図６(b) 及び図７(b) に示すイジェクトボタン３１を押し下げる。これにより、図８(d) に示すように、ＥＪレバー７７が付勢部材の付勢力に抗して図の矢印ｋで示すように下方に押し下げられる。
【００６４】
これに応じてＥＪレバー７７の下端部の斜面７８が下方に押されることにより、この斜面７８に当接するＥＪピン６３の内側先端が斜面７８を摺接しながらＥＪピン６３全体が図の付勢部材７６（図７(b) 参照）の付勢力に抗して矢印ｍで示すように左方に押出される。これにより、ＥＪピン６３の外側先端に押された係合ピン５２が、付勢部材の付勢力に抗して図の矢印ｎで示すように左方に移動し、その外側先端が係合固定筒７ｂの係合孔５３から外れる。
【００６５】
これにより、カメラ本体９に対する係合固定筒７ｂの位置決めが解除されて、係合固定筒７ｂのオス係合爪４７と係合凹部１８のメス係合爪４５との係合解除が可能となり係合固定筒７ｂと係合凹部１８の分離が可能になると共に、ＥＪピン６３の外側先端が係合固定筒７ｂの係合孔５３に嵌入していることを維持することにより、つまりイジェクトボタン３１を押し下げた状態を維持することにより、回動筒７ａを介してグリップユニット１に対し係合固定筒７ｂの回転を禁止することができ、これにより、グリップユニット１とカメラ本体９を相対的に時計回り方向に回動させることができる。すなわち、オス係合爪４７とメス係合爪４５との係合を解除させてグリップユニット１とカメラ本体９を分離することができる。分離後は、内部ピン５４ｂが切り欠き溝５９に再度嵌入して、回動筒７ａと係合固定筒７ｂの回動禁止が維持される（図８(a) ）。
【００６６】
続いて、図６(a) に示したカメラ本体９とメモリユニット２７（又は２８又は２９、以下同様）の分離結合関係及びメモリユニット２７の構成について説明する。
図９(a) は、カメラ本体９の背面を示す斜視図であり、同図(b) は、メモリユニット２７の背面から見た斜視図、同図(c) はその前面（カメラ本体９との結合面）から見た斜視図である。尚、同図(a),(b),(c) は、それぞれ一部切り欠き、一部図示省略、一部透視的に示している。また、いままで述べてきた構成部分と同一の構成部分には、いままでと同一の番号を付与して示している。
【００６７】
同図(a) に示すように、カメラ本体９の背面は、光学ファインダ１７が配設されているファインダ配設部８４の面と、メモリユニット２７が結合されるユニット結合面８５には、メモリユニット２７の厚さだけの段差部が形成されている。このファインダ配設部８４の段差部の下面には中央よりも右寄りにメス型コネクタ８６が配置され、両側面にはロック穴８７（図では左側のロック穴は陰になって見えない）が形成されている。
【００６８】
また、上記のユニット結合面８５には、平行して縦方向に延在する断面が鉤型の二本のガイドリブ８８が配設され、それぞれの下方に押圧パッド８９が配設されている。押圧パッド８９は同図(a) の右下方に拡大して示すように、低く四角錘状に突出した柔軟弾性部材からなるパッドであり、ユニット結合面８５に結合されるメモリユニット２７の前後の遊びを吸収するために設けられている。
【００６９】
これに対して、同図(b),(d) に示すメモリユニット２７は、上述したようにカメラ本体９背面の段差部に対応する厚さで形成されており、その段差部の下から両側面に回り込む角（つの）状突出部９１を備えている。これら角状突出部９１の外壁面に形成された孔９０からは、それぞれ上記のロック穴８７と係合するロック爪９２が配設されている。
【００７０】
ロック爪９２は、三角柱を横にした形状をなしており、Ｔの字を外側に倒してその一本足を横にした形状のロック板９３の、一本足の外側端部から上方に延びる枝の上端部に取り付けられて、三角柱の三面のうちの二面が角状突出部９１の外部に出るように配設される。このロック爪９２は、その角状突出部９１の外部に出る三角柱の二面のうち、上方の面が傾斜面をなし下方の面が水平面を成すように配置される。
【００７１】
上記ロック板９３の横になった一本足の内側端部には回動中心孔９４が形成され、この回動中心孔９４が、図では定かに見えないがメモリユニット２７のフレームに設けられている支持ピンに外嵌している。また、このロック板９３の一本足の外側端部から下方に延びる枝の下端部にカムピン９５が取り付けられている。このカムピン９５は、横曲がり部と上曲がり部からなる鉤型のロックレバー９６の上曲がり部に形成されたカム溝孔９７に嵌入している。
【００７２】
ロックレバー９６の横曲がり部には長孔９８が形成されており、この長孔９８に、図では陰になって見えないがメモリユニット２７のフレームに設けられている支持ピンが嵌入している。ロックレバー９６は、その支持ピンにより長孔９８を介して支持され、不図示の付勢部材により図の矢印ｐで示す外側方向に付勢され、横方向に摺動自在に配置されている。このロックレバー９６にロック解除ボタン３４が係合している。
【００７３】
また、メモリユニット２７の上記２つの角状突出部９１が両端から立設する上面９９には、このメモリユニット２７がカメラ本体９と結合したときにカメラ本体９のメス型コネクタ８６と結合する位置に、オス型コネクタ１０１が突設されている。
また、メモリユニット２７の内部には、メモリコネクタ（不図示）を備えた記録媒体装着部１０２が配設されており、この記録媒体装着部１０２とメモリユニット２７背面の情報表示部３５との間に基板１０３が配設されている。また、上記の記録媒体装着部１０２の下開口部１０４には、同図(c) にも示すように蓋１０５が配設されている。この記録媒体装着部１０２には、例えばメモリスティック（登録商標）又はコンパクトフラッシュ（登録商標）等の記録媒体が下開口部１０４から挿入されて装着される。
【００７４】
このように、記録媒体装着部１０２の開口と蓋を下面に設けているので、外部から開口部が目立たないようすることができる。
同図(c) に示すように、メモリユニット２７の前面（カメラ本体９との結合面）１０６には、カメラ本体９のユニット結合面８５に形成されている二本のガイドリブ８８にそれぞれ外嵌する断面が鉤型の二本のガイド溝１０７が形成されている。このガイド溝１０７の内壁側面の上下二箇所の孔から、線状の押圧バネ１０８の押圧部がガイド溝１０７内に突出して配置される。これらの押圧バネ１０８は、カメラ本体９のユニット結合面８５に結合されるメモリユニット２７の左右の遊びを吸収するために設けられている。
【００７５】
このメモリユニット２７の構成にいて、メモリユニット２７をカメラ本体９の下方からユニット結合面８５に摺接させながら、ガイドリブ８８の下端部にガイド溝１０７の上端部を嵌合させ、ガイド溝１０７を介しガイドリブ８８により案内されながら、メモリユニット２７を上方に摺り上げていくことにより、ロック爪９２の三角柱の二面のうちの斜面を成す上方の面が、カメラ本体９のファインダ配設部８４の両側面に摺接して、ロック爪９２が角状突出部９１の孔９０内に押し込まれる。ことき、ロック板９３は回動中心孔９４を支点にして下方に回動し、そのカムピン９５に引かれてロックレバー９６が付勢部材の付勢力に抗して内側に移動する。
【００７６】
そして、更に最上部までメモリユニット２７を上方に摺り上げていくことにより、オス型コネクタ１０１がメス型コネクタ８６に連結すると共に、孔９０内に押し込まれていたロック爪９２が、ロックレバー９６の付勢部材の付勢力により、上記と逆の連動作用で孔９０から外部に突出し、三角柱の二面のうちの水平面を成す面が、ファインダ配設部８４の段差部両側面のロック穴８７に係止する。
【００７７】
これにより、メモリユニット２７はカメラ本体９の結合面８５にほぼ密着したけ形で結合する。前後に生じる可能性のあるがたつきは押圧パッド８９により吸収され、左右に生じる可能性のあるがたつきは押圧バネ１０８によって吸収される。
メモリユニット２７は、上述したように、カメラ本体９の背面を覆うように取り付けられ、カメラ本体９背面の段差部と同じ厚さで構成され、更に、メモリユニット２７の前面（カメラ本体９との結合面）１０６とカメラ本体９背面のユニット結合面８５とは、それぞれ外周の輪郭形状が製造誤差を別にすれば同一形状に形成されているので、上記のようにメモリユニット２７をカメラ本体９に結合させた状態では、メモリユニット２７とカメラ本体９とが一体となって形態的な一体感があり、別体のユニットの組み合わせには見えないという違和感の生じない良さを備えている。
【００７８】
また、上記のように結合したメモリユニット２７をカメラ本体９から取り外して分離するときは、カメラ使用者は、図９(b) の矢印ｑで示すようにロック解除ボタン３４を内側方向へ押し込む。これにより、ロックレバー９６が付勢部材の付勢力に抗して内側方向へ移動する。ロックレバー９６が内側方向へ移動すると、ロックレバー９６の上曲がり部に形成されているカム溝孔９７により、ロック板９３のカムピン９５が下に引き下げられ、ロック板９３全体が下方向に回動する。このロック板９３の下方向への回動により、ロック板９３の一本足の外側端部から上方に延びる枝の上端部に取り付けられているロック爪９２が角状突出部９１の外壁面に形成されている孔９０から角状突出部９１内部に引き戻される。これにより、ロック爪９２とカメラ本体９のロック穴８７との係止状態が解除され、メモリユニット２７を下方に引き出してカメラ本体９から分離することが出来る。
【００７９】
また、このように、メモリユニット２７は、カメラ本体９の背面で結合・分離できるので、他のメモリユニットとの交換が極めて容易である。
図１０(a) は、メモリユニットの他の構成を示す斜視図であり、同図(b) は、それに装着される記録媒体の形状を示す外観斜視図である。同図(a) に示すように、このメモリユニット２７´は、図９(b),(c) に示したメモリユニット２７のように記録媒体を挿入する下開口部が設けられておらず、メモリユニット２７´前面（カメラ本体９との結合面）１１０に大きく開口する記録媒体装着部１０９が形成されているだけである。
【００８０】
このメモリユニット２７´の前面１１０の外周の輪郭形状はメモリユニット２７の場合と同様であり、背面の表示装置その他の構成、及び内部の基板構成等もメモリユニット２７の場合と同様である。
同図(b) に示す記録媒体１１１は、単にこの記録媒体装着部１０９に平らに嵌め込むだけで装着が完了する。記録媒体１１１を記録媒体装着部１０９から脱抜するときは、記録媒体装着部１０９上部の切り欠き１１２に指先などを差し込んで記録媒体１１１を容易に記録媒体装着部１０９から取り出すことができる。上記の記録媒体１１１は、例えばＳＤメモリカード等である。
【００８１】
このように、本例のメモリユニット２７´では、カメラ本体９との結合面つまりカメラ本体９によって遮蔽される面に記録媒体が装着されるので、記録媒体を外部から確実に保護することができ、ごみやほこり等の進入をより確実に防止することができる。
このように、本発明のカメラは、グリップユニット１に第１のカメラ本体９を結合したときは、使用可能なメモリユニットが複数あるため、撮影状態に応じて任意の記録媒体を用いることができる。すなわち、色々な規格のメモリを使用することができる。
【００８２】
また、新しい種類の記録媒体が市場に出たときでも、その新しい種類の記録媒体に対応するメモリユニットを購入するだけで、グリップユニットは勿論、カメラ本体をも買い変えることなく、新しい種類の記録媒体を直ちにこのカメラに使用することができる。
なお、本発明の実施例としてデジタルカメラに適用した例を示したが、撮影装置を有する携帯電話やモバイルパソコン等の情報機器に適用することも可能である。
【００８３】
図１１は、カメラ全体のブロック図である。尚、同図は第１のカメラ本体（カメラ本体９）を使用した場合の図である。同図に示すように、グリップユニット１には、第１のカメラ本体ユニット９の制御部であるＣＰＵＣ１２２と接点（図６及び図７に示した凸接点４６と平接点４８）を介して制御信号を交信して全体を制御するＣＰＵ（central processing unit）Ｇ１１５と、このＣＰＵＧ１１５に接続された操作部１１６、及びレリース部１１７を備え、更に画像表示部１１８、電源部１１９、及び交換電池１２１を備えている。
【００８４】
操作部１１６は、設定ダイヤル４、モードダイヤル６、十字ボタン３２、設定ボタン３３等の操作イベントを検出して、その検出した操作イベントをＣＰＵＧ１１５に通知する。レリース部１１７は、レリースボタン３の操作イベントを検出して、その検出した操作イベントをＣＰＵＧ１１２に通知する。画像表示部１１８は、第１のカメラ本体ユニット９の画像処理部１２４から接点を介して送信される画像データに基づく画像を表示装置５に表示する。
【００８５】
電源部１１９は交換電池１２１から供給される電源を、接点を介して第１のカメラ本体ユニット９に供給すると共に、更に第１のカメラ本体ユニット９を介して交換レンズユニット２１（２２又は２３）、及びメモリユニット２７（２８又は２９）に供給する。
第１のカメラ本体ユニット９においては、上記のＣＰＵＣ１２２にバス１２３を介して上記の画像処理部１２４のほか、撮像部１２５が接続されている。撮像部１２５には撮像素子１２６が接続されている。また、ＣＰＵＣ１２２にはストロボ部１２７が直接接続されている。
【００８６】
ＣＰＵＣ１２２は、上記各部を制御すると共に、一方ではコネクタ１２８及び１２９を介して交換レンズユニット２１のＣＰＵＬ１３０を制御し、他方では図９に示したメス型コネクタ８６及びオス型コネクタ１０１を介してメモリユニット２７の操作ボタン部１３１と表示部１３２を制御する。
【００８７】
第１のカメラ本体ユニット９の撮像部１２５は、撮像素子１２６に結像された画像データをデジタル画像信号として、バス１２３を介してＣＰＵＣ１２２に送信する。画像処理部１２４は、ＣＰＵＣ１２２の指示に下に、撮像部１２５から送信されたデジタル画像信号を表示用イメージ信号に変換してグリップユニット１の画像表示部１１８に送信する。
【００８８】
また、ＣＰＵＧ１１５は、レリース部１１７からの操作イベント情報に基づいてＣＰＵＣ１２２に撮影の指示を出力し、ＣＰＵＣ１２２は、ＣＰＵＬ１３０を介してレンズ駆動部１３４を駆動して、レンズ１３５による合焦と絞りを制御し、撮像部１２５を駆動して撮像を開始させ、上記のように得られたデジタル画像信号をメモリユニット２７の交換メモリ１３３に格納する。
【００８９】
ストロボ部１２７、ＣＰＵＧ１１５からのＣＰＵＣ１２２を介しての指示に基づいてグリップユニット１の電源部１１９から供給される電力を用いてストロボ光を発光する。
メモリユニット２７の表示部１３２には、バス１２３を介して交換メモリ１３３から取得されるメモリ残量がＣＰＵＣ１２２から通知されると共に、このＣＰＵＣ１２２を介して、ＣＰＵＧ１１５から、日付データや撮影枚数データが通知される。これらの通知に基づいて、表示部１３２は情報表示部３５に、図２(b) に示した各種の情報を表示する。
【００９０】
また、ＣＰＵＣ１２２は、操作ボタン部１３１からロック解除ボタン３４の操作信号を受け取ると、メス型コネクタ８６の各接点部をハイインピーダンスに設定して、交換メモリ１３３の電気的破損を防止する。
図１２は、第２のカメラ本体ユニット１１のブロック図である。同図に示すように、第２のカメラ本体ユニット１１は、ＣＰＵ１３６を中心にして、このＣＰＵ１３６にバス１３７、操作ボタン部１３８、凸接点４６、ストロボ部１３９、レンズ駆動部１４１が接続され、バス１３７には、画像処理部１４２、及び撮像部１４３が接続されている。撮像部１４３には撮像素子１４４が接続されている。また、レンズ１４５が備えられている。
【００９１】
上記のＣＰＵ１３６、バス１３７、操作ボタン部１３８、凸接点４６、ストロボ部１３９、レンズ駆動部１４１、画像処理部１４２、撮像部１４３、撮像素子１４４、及びレンズ１４５の機能、動作、作用は、図１１のＣＰＵＣ１２２、バス１２３、操作ボタン部１３１、凸接点４６、ストロボ部１２７、レンズ駆動部１３４、画像処理部１２４、撮像部１２５、撮像素子１２６、及びレンズ１３５の機能、動作、作用とほぼ同様である。
【図面の簡単な説明】
【００９２】
【図１】(a) 〜(d) は本発明のユニット化されたカメラの基本システムの構成を示す外観図である。
【図２】(a) はグリップユニットと第１のカメラ本体とが合体して形成されるカメラの正面図、(b) はその背面図である。
【図３】(a) はグリップユニットと第１のカメラ本体とが合体して形成されるカメラの上面図、(b) は上面図と比較参照のために図２(a) を再掲する図である。
【図４】(a) は図３(b) の矢印Ａ方向に見た側面図、(b) は図３(b) の矢印Ｂ方向に見た側面図である。
【図５】グリップユニットを第１のカメラ本体の前方向に９０度回動させた状態を示す図である。
【図６】(a),(b) はカメラグリップと第１のカメラ本体の回動係合部を示す斜視図である。
【図７】(a) は第１のカメラ本体の係合凹部を拡大して示す図、(b) はカメラグリップの回動シャフト及びその関連部分を分解して示す図、(c) は(b) の反対側から見た斜視図である。
【図８】(a) 〜(d) はグリップユニットの回動シャフトと第１のカメラ本体の係合凹部との分離結合動作を示す模式的断面図である。
【図９】(a) は第１のカメラ本体の背面を示す斜視図、(b) はメモリユニットの背面から見た斜視図、(c) はその前面（第１のカメラ本体との結合面）から見た斜視図である。
【図１０】(a) はメモリユニットの他の構成を示す斜視図、(b) はそれに装着される記録媒体の形状を示す外観斜視図である。
【図１１】第１のカメラ本体を使用した場合のカメラ全体のブロック図である。
【図１２】第２のカメラ本体ユニットのブロック図である。
【符号の説明】
【００９３】
１      グリップユニット
２      グリップ部
３      レリースボタン
４      設定ダイヤル
５      表示装置
６      モードダイヤル
７      回動シャフト
７ａ  回動筒
７ｂ  係合固定筒
７ｃ  係合面
８      カメラユニット群
９      第１のカメラ本体
１１    第２のカメラ本体
１２    内蔵ストロボ
１３    外付けストロボユニット
１４    ストラップ孔
１５    肩掛け式ストラップ
１６    ストロボ係合部
１７    光学ファインダ
１８    係合凹部
１９    標準レンズ
２０    レンズユニット群
２１、２２、２３  レンズユニット
２４    固定型専用ストロボ
２５    係合凹部
２６    メモリユニット群
２７、２７´、２８、２９  メモリユニット
３１    イジェクトボタン
３２    十字ボタン
３３    設定ボタン
３４    ロック解除ボタン
３５    情報表示部
３６    シャッター速度と絞り表示領域
３７    撮影可能枚数表示領域
３８    電池残量バー表示領域
３９    メモリ残量バー表示領域
４１    メモリの名称
４２    撮影条件ボタン
４３    設定ボタン
４４    回動中心
４５    メス係合爪
４６    凸接点
Ｔｐ    回動中心
４７    オス係合爪
４８    平接点
Ｔｓ    回動中心軸
５１    板状カム
５２    係合ピン
５３    係合孔
５４ａ  外部ピン
５４ｂ  内部ピン
５５    回動部材
５６    長孔
５７    支持ピン
５８    リング状の縁
５９    切り欠き溝
６１    段差
６２    貫通孔
６３    ＥＪピン
６４    外嵌係合筒
６４ａ  外側開口部
６４ｂ  内側開口部
６５    嵌入係合筒
６６    フレキシブル配線
６７    ネジ孔
６８    クリック板
６９    ネジ
７１    ネジ挿通孔
７２    クリック孔
７３    ストッパ
７４    クリックボール
７５    ネジ固定部
７６    付勢部材
７７    ＥＪレバー
７８    斜面
７９    長孔
８１    支持ピン
８２    係合爪
８３    ボタン摺動溝
８４    ファインダ配設面
８５    ユニット結合面
８６    メス型コネクタ
８７    ロック穴
８８    ガイドリブ
８９    押圧パッド
９１    角状突出部
９２    ロック爪
９３    ロック板
９４    回動中心孔
９５    カムピン
９６    ロックレバー
９７    カム溝孔
９８    長孔
９９    メモリユニット上面
１０１  オス型コネクタ
１０２  メモリ収納部
１０３  基板
１０４  下開口部
１０５  蓋
１０６  メモリユニット前面（第１のカメラ本体との結合面）
１０７  ガイド溝
１０８  押圧バネ
１１０  メモリユニット前面（カメラ本体との結合面）
１０９  記録媒体装着部
１１１  記録媒体
１１２  上部切り欠き
１１５  ＣＰＵ（central processing unit）Ｇ
１１６  操作部
１１７  レリース部
１１８  画像表示部
１１９  電源部
１２１  交換電池
１２２  ＣＰＵＣ
１２３  バス
１２４  画像処理部
１２５  撮像部
１２６  撮像素子
１２７  ストロボ部
１２８、１２９  コネクタ
１３０  ＣＰＵＬ
１３１  操作ボタン部
１３２  表示部
１３３  交換メモリ
１３４  レンズ駆動部
１３５  レンズ
【図１】
2005184504.tif 000003
【図２】
2005184504.tif 000004
【図３】
2005184504.tif 000005
【図４】
2005184504.tif 000006
【図５】
2005184504.tif 000007
【図６】
2005184504.tif 000008
【図７】
2005184504.tif 000009
【図８】
2005184504.tif 000010
【図９】
2005184504.tif 000011
【図１０】
2005184504.tif 000012
【図１１】
2005184504.tif 000013
【図１２】
2005184504.tif 000014